(57)【要約】【課題】  共通のアンテナを用いて異なる時空間符号を使用する際に、送信アンテナ間干渉を低減することができ、また、複数の時空間符号方式を同時に、または切り替えて使用することができる通信装置を提供することを目的とするものである。【解決手段】  複数の送信アンテナを用いる送信アンテナダイバーシチにおいて、複数の周波数帯によって通信する通信手段と、入力信号を符号化する複数の時空間符号器手段と、複数の送信アンテナ手段と、使用する搬送波周波数と上記時空間符号器手段とに応じて、アンテナ間干渉が最も少なくなるアンテナの組み合わせを選択するアンテナ組み合わせ選択手段とを有する通信装置である。【選択図】  図１
2005236827.tif 000002
【特許請求の範囲】
【請求項１】
複数の送信アンテナを用いる送信アンテナダイバーシチを行う通信装置において、
複数の周波数帯によって通信する通信手段と；
入力信号を符号化する複数の時空間符号器手段と；
複数の送信アンテナ手段と；
使用する搬送波周波数と上記時空間符号器手段とに応じて、アンテナ間干渉が最も少なくなるアンテナの組み合わせを選択する選択手段と；
を有することを特徴とする通信装置。
【請求項２】
請求項１において、
上記選択手段は、時空間符号を使用する際には、アンテナの組み合わせを予め固定とする手段であることを特徴とする通信装置。
【請求項３】
請求項１または請求項２において、
通信に使用する複数の周波数帯を、同時に使用することを特徴とする通信装置。
【請求項４】
請求項１または請求項２において、
通信に使用する複数の周波数帯を、時分割で使用することを特徴とする通信装置。
【請求項５】
複数の送信アンテナを用いる送信アンテナダイバーシチ制御装置において、
複数の周波数帯によって通信する通信手段と；
入力信号を符号化する複数の時空間符号器手段と；
使用する搬送波周波数と上記時空間符号器手段とに応じて、アンテナ間干渉が最も少なくなるアンテナの組み合わせを選択する選択手段と；
を有することを特徴とする制御装置。
【発明の詳細な説明】
【技術分野】
【０００１】
本発明は、複数の送信アンテナを用い、各送信アンテナに特有の符号を使用して送信する通信装置および制御装置に関する。
【背景技術】
【０００２】
従来、受信器の構成を簡単にしたまま、誤り率特性を向上させるために、複数の送信アンテナを用いる送信ダイバーシチが用いられている。
【０００３】
図６は、２本の送信アンテナを用いる従来の送信機１１００を示す回路図である。
【０００４】
無線ＬＡＮ規格であるＩＥＥＥ８０２．１１ｂ／ｇは、日本国内においては、２．４ＧＨｚ帯を使用している。送信ダイバーシチを同規格の送信機に適用すると、たとえば、図６に示すように、２本の送信アンテナを用いる送信機構成になる。
【０００５】
入力ベースバンド信号１は、ミキサ５ａと５ｂとに並列に入力され、局部発信機４によって２．４ＧＨｚ帯の搬送波周波数帯に変換される。得られた搬送波信号は、２．４ＧＨｚ帯に対応するパワーアンプ６ａと６ｂとによって増幅される。パワーアンプ６ａと６ｂとにおいて生じる高調波成分は、不要周波数であるので、この帯域を取り除くために、２．４ＧＨｚ帯を通過させるバンドパスフィルタ（ＢＰＦ）７ａと７ｂとを用い、２．４ＧＨｚ帯に対応する送信アンテナＴＸ１（８ａ）とＴＸ２（８ｂ）とから、各信号を送信する。
【０００６】
一方、搬送波波長をλとすると、送信アンテナの間隔は、最短でも、λ／２の間隔を維持して分離し、配置することによって、アンテナ間干渉が最小にすることが知られている。図６に示す従来例の場合、搬送波周波数がｆ１＝２．４ＧＨｚであるので、λ１＝ｃ／ｆ１になる。
【０００７】
図７は、５．２ＧＨｚ帯を使用し、送信ダイバーシチを同規格に適用した場合に、４本の送信アンテナを使用する従来の送信機１２００を示す回路図である。
【０００８】
また、無線ＬＡＮ規格の１つであるＩＥＥ８０２．１１ａは、日本国内において、５．２ＧＨｚ帯を使用している。送信ダイバーシチを同規格に適用すると、４本の送信アンテナの送信機構成は、たとえば図７に示すようになる。入力ベースバンド信号列９は、ミキサ１２ａ、１２ｂ、１２ｃ、１２ｄに並列に入力され、局部発信機１３によって、５．２ＧＨｚ帯の搬送波周波数帯に変換される。
【０００９】
この変換された搬送波信号は、５．２ＧＨｚ帯に対応するパワーアンプ１４ａ、１４ｂ、１４ｃ、１４ｄによって増幅される。パワーアンプにおいて生じる高調波成分は、不要周波数であるので、不要周波数の帯域を取り除くために、５．２ＧＨｚ帯を通過させるバンドパスフィルタ（ＢＰＦ）１５ａ、１５ｂ、１５ｃ、１５ｄを用い、５．２ＧＨｚ帯に対応する送信アンテナＴＸ１（１６ａ）、ＴＸ２（１６ｂ）、ＴＸ３（１６ｃ）、ＴＸ４（１６ｄ）から各信号を送信する。図７に示す従来例の場合、搬送波周波数がｆ２＝５．２ＧＨｚであるので、λ２＝ｃ／ｆ２である。
【００１０】
近年、複数の無線ＬＡＮ方式を抱合した形態の無線ＬＡＮ機器が普及している。ＩＥＥＥ８０２．１１ａ／ｂ／ｇに対応する無線ＬＡＮの送信機構成は、送信ダイバーシチを用いる際に、図６、図７に示す従来の回路構成を同時に搭載する構成が考えられる。
【００１１】
また、近年では、２．４ＧＨｚ帯と５．２ＧＨｚ帯との両バンドに対応できるアンテナも実現されている。
【００１２】
図８は、２．４ＧＨｚ帯と５．２ＧＨｚ帯との両バンドに対応できるアンテナを用いる従来の送信機１３００を示す回路図である。
【００１３】
従来の送信機１３００では、ＢＰＦ７ａ、１５ａの出力信号が互いに加算され、２．４ＧＨｚと５．２ＧＨｚとの両バンドに対応する送信アンテナ１７ａから送信される。
【００１４】
ＢＰＦ７ｂ、１５ｃの出力信号が互いに加算され、２．４ＧＨｚと５．２ＧＨｚとの両バンドに対応する送信アンテナ１７ｃから送信される。この場合におけるアンテナの配置は、両バンドの搬送波周波数の関係から、アンテナの位置が５．２ＧＨｚ帯に対して固定されるとすると、各アンテナ間の距離を、少なくともλ２／２分離して、各アンテナを配置しなければならない。この場合、２．４ＧＨｚで使用できるアンテナは、アンテナ間干渉を避けるために、アンテナＴＸ１−ＴＸ３、ＴＸ２−ＴＸ４、ＴＸ１−ＴＸ４の組み合わせのうちで、いずれかの組み合わせを使用する。
【００１５】
従来の送信機１３００は、アンテナの上記複数の組み合わせのうちで、アンテナＴＸ１−ＴＸ３の組み合わせのみを採用した実施例である。４．８ＧＨｚ帯は、２．４ＧＨｚ帯のおよそ２倍であり、つまり、λ１≒２λ２である。
【００１６】
一方、無線チャネルにおいて、同一搬送波周波数を用いながら通信容量を増大する方法の１つとして、時空間符号が注目を集めている。「時空間符号」は、送信アンテナを複数用い、アンテナ毎に固有の符号を使用することによって、通信容量の増大を図るものである。時空間符号の一方式として、時空間直交ブロック符号方式が知られている（たとえば、非特許文献１参照）。
【００１７】
図９は、時空間直交ブロック符号を用い、送信アンテナが２本である従来の送信機１４００を示す回路図である。
【００１８】
従来の送信機１４００において、入力ベースバンド信号１は、シリアル−パラレル変換機２によって、２ビットごとにパラレル出力され、直交符号化器３によって、符号化される。この直交符号化器３は、
【００１９】
【数１】
2005236827.tif 000003
として表される。この行列式の行番号は、送信アンテナ番号を示し、列番号は、入力ビットの番号を示す。
【００２０】
搬送波周波数に、たとえば、ｆ１＝２．４ＧＨｚを用いると、各出力は、２．４ＧＨｚの局部発信機４と、ミキサ５ａ、５ｂとによって、２．４ＧＨｚ帯に周波数変換される。周波数変換された信号は、２．４ＧＨｚ帯に対応するパワーアンプ６によって増幅され、２．４ＧＨｚ帯を通過させるバンドパスフィルタ７によって、搬送波帯域のみが取り出された後に、２．４ＧＨｚ帯域に対応する送信アンテナ８ａと８ｂとから、互いに異なる符合が同時に送信される。
【００２１】
図９に示す従来例では、説明を簡単にするために、パワーアンプ６ａ、６ｂの後段に、それぞれバンドパスフィルタ７ａ、７ｂが接続されているが、パワーアンプ６ａ、６ｂの前段に、ＢＰＦまたはＬＰＦ（低域通過フィルタ）を設ける場合がある。
【００２２】
図１０は、時空間直交ブロック符号を用い、送信アンテナが４本である従来の送信機１５００を示す回路図である。
【００２３】
シリアル−パラレル変換機１０が、入力ベースバンド信号９を、４ビットごとにパラレル出力し、直交符号化器１１が符号化する。
【００２４】
この直交符号化器１１は、
【００２５】
【数２】
2005236827.tif 000004
として表される。
【００２６】
図１１は、従来の直交符号化器１１の詳細な回路構成を示す図である。
【００２７】
搬送波周波数に、たとえば、ｆ２＝５．２ＧＨｚを用いると、直交符号化器１１の出力は、５．２ＧＨｚの局部発信機１３と、ミキサ１２ａ、１２ｂ、１２ｃ、１２ｄとによって、５．２ＧＨｚ帯に周波数変換される。周波数変換された信号は、５．２ＧＨｚ帯に対応するパワーアンプ１４ａ、１４ｂ、１４ｃ、１４ｄによって、増幅され、５．２ＧＨｚ帯を通過させるバンドパスフィルタ１５ａ、１５ｂ、１５ｃ、１５ｄによって、搬送波帯域のみが取り出された後に、５．２ＧＨｚ帯域に対応する送信アンテナ１６ａ、１６ｂ、１６ｃ、１６ｄによって、互いに異なる符合が同時に送信される。
【００２８】
図１０においては、図９に示す従来例と同様に、説明を簡単にするために、パワーアンプ１４の後段に、バンドパスフィルタＢＰＦ１５を接続しているが、パワーアンプ１４ａ、１４ｂ、１４ｃ、１４ｄの前段に、ＢＰＦ、ＬＰＦ（低域通過フィルタ）を設ける場合もある。
【非特許文献１】Vahid Tarokh, Hamid Jafarkhani, and A. Robert Calderbank, “Space-Time Block Codes from Orthogonal Designs”, IEEE Trans. Inform. Theory, vol. 45, pp. 1456-1467, July. 1999
【発明の開示】
【発明が解決しようとする課題】
【００２９】
時空間符号は、アンテナ本数にある程度比例して、通信容量を増大することができるが、選択する時空間符号方式によって送信アンテナ数が一意に決まるので、搬送波周波数を固定にすると、通信容量を増大させる際には、アンテナの配置間隔が広がるという問題があり、また、同一搬送搬送波帯においては、複数の時空間符号を同時に使用することができないという問題がある。
【００３０】
本発明は、共通のアンテナを用いて異なる時空間符号を使用する際に、送信アンテナ間干渉を低減することができ、また、複数の時空間符号方式を同時に、または切り替えて使用することができるようにすることを目的とするものである。
【００３１】
また、本発明は、同時に複数の時空間符号方式を使用することによって、通信容量を増大することができるようにすることを目的とするものである。
【００３２】
また、本発明は、共通のアンテナを用いて異なる時空間符号を使用する際の受信特性を向上させることを目的とする。
【課題を解決するための手段】
【００３３】
本発明は、複数の送信アンテナを用いる送信アンテナダイバーシチを行う通信装置において、複数の周波数帯によって通信する通信手段と、入力信号を符号化する複数の時空間符号器手段と、複数の送信アンテナ手段と、使用する搬送波周波数と上記時空間符号器手段とに応じて、アンテナ間干渉が最も少なくなるアンテナの組み合わせを選択する選択手段とを有する通信装置である。
【００３４】
また、複数の送信アンテナを用いる送信アンテナダイバーシチ制御装置において、複数の周波数帯によって通信する通信手段と、入力信号を符号化する複数の時空間符号器手段と、使用する搬送波周波数と上記時空間符号器手段とに応じて、アンテナ間干渉が最も少なくなるアンテナの組み合わせを選択する選択手段とを有することを特徴とする制御装置である。
【発明の効果】
【００３５】
本発明によれば、共通のアンテナを用いて異なる時空間符号を使用する際に、送信アンテナ間干渉を低減することができ、また、複数の時空間符号方式を同時に、または切り替えて使用することができる。
【００３６】
また、通信容量を増大することができる。
【００３７】
また、受信特性が向上させることができる。
【発明を実施するための最良の形態】
【００３８】
発明を実施するための最良の形態は、次の実施例である。
【実施例１】
【００３９】
図１は、本発明の実施例１である通信装置１００を示す回路図である。
【００４０】
実施例１である通信装置１００は、図９、図１０に示す時空間直交ブロック符号を用いて、両方の送信機を共通化する通信装置である。
【００４１】
通信装置１００において、広帯域に対応するアンテナを用いることによって、アンテナの共通化を実現する実施例である。無線ＬＡＮの周波数を例に取れば、アンテナＴＸ１（１７ａ）とＴＸ３（１７ｃ）は、２．４ＧＨｚ帯と、５．２ＧＨｚ帯とに対応する広帯域アンテナである。
【００４２】
通信装置１００においては、使用する周波数帯、時空間符号を予め固定し、加算器３５ａと３５ｃとによって、両送信機のバンドパスフィルタ７ａと１５ａとの出力信号を互いに加算し、また、バンドパスフィルタ７ｂと１５ｃとの出力信号を互いに加算する。
【００４３】
この場合、５．２ＧＨｚ帯の送信アンテナを、λ２／２離れて配置し、２．４ＧＨｚ帯の送信アンテナも、少なくともλ１／２離れて配置することによって、搬送波によるアンテナ間干渉を低減することができる。
【００４４】
通信装置１００において、λ１は、λ２の約２倍になるので、低域の搬送波周波数で用いる送信アンテナとして、アンテナＴＸ１−ＴＸ３の組み合わせの代わりに、λ１／２離れたアンテナ２対を使用するようにしてもよい。
【実施例２】
【００４５】
図２は、本発明の実施例２である通信装置２００示す回路図である。
【００４６】
通信装置２００は、通信装置１００において、複数の搬送波周波数帯域に対応するバンドパスフィルタを用いることによって、アンテナを共通化するだけでなく、バンドパスフィルタを共通化する実施例である。
【００４７】
ＢＰＦ１２（１８ａと１８ｃ）は、２．４ＧＨｚ帯と５．２ＧＨｚ帯とを通過するバンドパスフィルタである。通信装置２００において、使用する周波数帯、時空間符号を予め固定し、加算器３５ａが、パワーアンプ６ａと１４ａとの出力信号を互いに加算し、加算器３５ｃが、パワーアンプ６ｂと１４ｃとの出力信号を互いに加算する。
【００４８】
通信装置１００と同様に、通信装置２００において、低域の搬送波周波数において用いる送信アンテナとして、アンテナＴＸ１−ＴＸ３の組み合わせを用いる代わりに、λ１／２離れたアンテナ２対を使用するようにしてもよい。
【実施例３】
【００４９】
図３は、本発明の実施例３である通信装置３００を示す図である。
【００５０】
通信装置３００は、通信装置２００において、パワーアンプ６ａ、１４ａ、６ｂ、１４ｃの代わりに、複数の搬送波周波数帯域に対応するパワーアンプ１９ａ、１９ｃを用い、これによって、送信アンテナ、バンドパスフィルタのみならず、パワーアンプを共通化している。
【００５１】
つまり、パワーアンプ１９ａと１９ｃは、２．４ＧＨｚ帯と５．２ＧＨｚ帯とを増幅することができるパワーアンプである。
【００５２】
通信装置３００において、使用する周波数帯、時空間符号を予め固定し、加算器３５ａによって、ミキサ５ａと１２ａとの出力信号を互いに加算し、加算器３５ｃによって、ミキサ５ｂと１２ｃとの出力信号を互いに加算する。
【００５３】
また、通信装置１００、２００と同様に、通信装置３００において、低域の搬送波周波数において用いる送信アンテナとして、アンテナＴＸ１−ＴＸ３の組み合わせを用いる代わりに、λ１／２離れたアンテナ２対を使用するようにしてもよい。
【実施例４】
【００５４】
図４は、本発明の実施例４である通信装置４００を示す回路図である。
【００５５】
通信装置４００は、通信装置３００において、全ての送信アンテナについて、複数の搬送波周波数帯域に対応するパワーアンプ、バンドパスフィルタ、送信アンテナを共通化した実施例である。
【００５６】
つまり、パワーアンプ１９ａ、１９ｂ、１９ｃ、１９ｄは、２．４ＧＨｚ帯と５．２ＧＨｚ帯とを増幅することができるパワーアンプであり、ＢＰＦ１２（１８ａ、１８ｂ、１８ｃ、１８ｄ）は、２．４ＧＨｚ帯と５．２ＧＨｚ帯とを通過させるバンドパスフィルタであり、アンテナＴＸ１（１７ａ）、ＴＸ２（１７ｂ）、ＴＸ３（１７ｃ）、ＴＸ４（１７ｄ）は、２．４ＧＨｚ帯と５．２ＧＨｚ帯とに対応する送信アンテナである。
【００５７】
通信装置４００は、ミキサ５ａと５ｂとの出力信号を、スイッチ２０ａと２０ｂとによって切り替え、使用するアンテナの組み合わせを予め決定していなくても、通信途中で任意に切り替えることができる。
【実施例５】
【００５８】
図５は、本発明の実施例５である通信装置５００を示す回路図である。
【００５９】
通信装置５００は、通信装置３００において、全ての送信アンテナについて、複数の搬送波周波数帯域に対応するパワーアンプ、送信アンテナを共通化した実施例である。
【００６０】
しかし、通信装置５００において、バンドパスフィルタを共通化していない。パワーアンプ（１９ａ、１９ｂ、１９ｃ、１９ｄ）は、２．４ＧＨｚ帯と５．２ＧＨｚ帯とを増幅することができるパワーアンプであり、アンテナＴＸ１（１７ａ）、ＴＸ２（１７ｂ）、ＴＸ３（１７ｃ）、ＴＸ４（１７ｄ）は、２．４ＧＨｚ帯と５．２ＧＨｚ帯とに対応する送信アンテナである。しかし、ＢＰＦ１（７ａ、７ｂ、７ｃ、７ｄ）は、２．４ＧＨｚ帯を通過させるバンドパスフィルタであり、ＢＰＦ２（１５ａ、１５ｂ、１５ｃ、１５ｄ）は、５．２ＧＨｚ帯を通過させるバンドパスフィルタである。
【００６１】
ＴＸ１（１７ａ）を例に取れば、ＢＰＦ１（７ａ）とＢＰＦ２（１５ａ）との出力信号は、加算器３６ａによって加算され、スイッチ２２ａは、加算器からの出力信号と、ＢＰＦ２（１５ａ）からの出力信号とのうちの１つを選択する。スイッチ２２ａと２２ｂとは、スイッチ２０ａと連動し、スイッチ２０ａが加算器３５ａへ出力する場合、スイッチ２２ａは、加算器３６ａからの出力信号を選択することによって、２．４ＧＨｚ帯と５．２ＧＨｚ帯とを帯域通過させた信号を、送信アンテナ１７ａが送信する。
【００６２】
この場合、スイッチ２２ｂは、スイッチ２２ａの動作とは逆に、ＢＰＦ２（１５ｂ）の出力信号を選択し、５．２ＧＨｚ帯の信号のみを帯域通過させ、送信アンテナ１７ｂが、送信する。
【００６３】
スイッチ２０ａが、加算器３５ｂへ出力する場合、スイッチ２２ａと２２ｂとの動作が逆になる。スイッチ２２ｃと２２ｄとは、スイッチ２０ｂと連動し、スイッチ２２ａ、２２ｂとスイッチ２０ａとの関係と同様な動作になる。
【００６４】
通信装置５００は、バンドパスフィルタを共通化しないことによって、その出力信号を、スイッチ２２ａ、２２ｂ、２２ｃ、２２ｄによって切り替え、これによって、不要周波数帯域をできるだけ抑制し、また、使用するアンテナの組み合わせを予め決定していなくても、通信途中で任意に切り替えることができる。
【００６５】
上記各実施例において、低い搬送波周波数に対して、送信アンテナ２本使用し、高い搬送波周波数に対しては、送信アンテナを４本使用するが、これらの送信アンテナ数の組み合わせを、任意に選択することができる。
【００６６】
たとえば、低い搬送波周波数に対しては、送信アンテナを３本使用し、高い搬送波周波数に対しては、６本使用するようにしてもよい。
【００６７】
また、上記実施例は、搬送波周波数が２種類である実施例であるが、搬送周波数が３種類以上である送信機の構成を採用するようにしてもよい。
【００６８】
さらに、上記実施例では、局部発信機が、ベースバンド信号を搬送波周波数帯に変調することによって、複数の周波数帯を使用しているが、ＰＰＭ（パルス位置変調システム）等を用い、広帯域伝送を可能にするＵＷＢ（Ｕｌｔｒａ  Ｗｉｄｅ  Ｂａｎｄ）通信装置を用いてもよく、このようにしても、上記と同様の通信装置を構成することができる。
【００６９】
そして、上記実施例は、少なくとも複数の時空間符号を複数の搬送波周波数を使用する際に、複数の時空間符号を変調する手段と、複数の時空間符号を加算する手段とによって構成され、また、搬送波周波数によって最もアンテナ間干渉が少なくなる送信アンテナを選択する手段と、選択したアンテナ本数によって最適な時空間符号を選択する手段とによって構成されている例である。
【００７０】
したがって、上記実施例によれば、搬送波に２種類の周波数を用いる場合、高い搬送波周波数ｆｈｉｇｈを用いる際に、アンテナ間干渉が最小になる最大数の送信アンテナ数ｎｈｉｇｈを用い、低い搬送波周波数ｆｌｏｗ（なお、ｆｌｏｗ＜ｆｈｉｇｈである）を用いるには、アンテナ間干渉が最小になる最大数の送信アンテナ数ｎｌｏｗを用い（なお、ｎｌｏｗ＜ｎｈｉｇｈである）、搬送波周波数ｆｈｉｇｈとｆｌｏｗとを同時に使用する際には、時空間符号を使用しない場合に比べて、通信容量が、およそ（ｎｌｏｗ＋ｎｈｉｇｈ）／２倍に増える。
【００７１】
上記のように無線チャネルの通信容量は、搬送波周波数帯の数に比例するよりも大きな通信容量を得ることができる。
【図面の簡単な説明】
【００７２】
【図１】本発明の実施例１である通信装置１００を示す回路図である。
【図２】本発明の実施例２である通信装置２００示す回路図である。
【図３】本発明の実施例３である通信装置３００を示す図である。
【図４】本発明の実施例４である通信装置４００を示す回路図である。
【図５】本発明の実施例５である通信装置５００を示す回路図である。
【図６】２本の送信アンテナを用いる従来の送信機１１００を示す回路図である。
【図７】５．２ＧＨｚ帯を使用し、送信ダイバーシチを同規格に適用した場合に、４本の送信アンテナを使用する従来の送信機１２００を示す回路図である。
【図８】２．４ＧＨｚ帯と５．２ＧＨｚ帯との両バンドに対応できるアンテナを用いる従来の送信機１３００を示す回路図である。
【図９】時空間直交ブロック符号を用い、送信アンテナが２本のである従来の送信機１４００を示す回路図である。
【図１０】時空間直交ブロック符号を用い、送信アンテナが４本である従来の送信機１５００を示す回路図である。
【図１１】従来の直交符号化器１１の詳細な回路構成を示す図である。
【符号の説明】
【００７３】
１００〜５００…通信装置、
１…入力ベースバンド信号、
３、１１…直交符号化器、
５ａ、５ｂ、１２ａ、１２ｂ、１２ｃ、１２ｄ…加算器、
６ａ、６ｂ、１４ａ、１４ｂ、１４ｃ、１４ｄ…パワーアンプ、
７ａ、７ｂ、１５ａ、１５ｂ、１５ｃ、１５ｄ…バンドパスフィルタ、
９…入力ベースバンド信号列、
１８ａ、１８ｂ、１８ｃ、１８ｄ…バンドパスフィルタ、
１９ａ、１９ｂ、１９ｃ、１９ｄ…２．４ＧＨｚ帯と５．２ＧＨｚ帯とを増幅することができるパワーアンプ。
【図１】
2005236827.tif 000005
【図２】
2005236827.tif 000006
【図３】
2005236827.tif 000007
【図４】
2005236827.tif 000008
【図５】
2005236827.tif 000009
【図６】
2005236827.tif 000010
【図７】
2005236827.tif 000011
【図８】
2005236827.tif 000012
【図９】
2005236827.tif 000013
【図１０】
2005236827.tif 000014
【図１１】
2005236827.tif 000015